(57)【要約】【課題】地中に埋設された立管を汚水管として利用することができ、使用しないときにはコンパクトに収納でき、使用時には利用者が安定して使用できる利便性の高い仮設トイレを提供する。【解決手段】仮設トイレ１は、後フレーム１１に鉛直軸線Ｖ１周りに回動可能に連結された左右の横フレーム１２Ｌ，１２Ｒと、背もたれ１３と、手すり１４Ｌ，１４Ｒと、を有する折り畳みフレーム１０を備える。仮設トイレ１は、更に、第１貫通孔２１が形成され、折り畳みフレーム１０に支持された支持体２０と、支持体２０上に配置された便座３０と、支持体２０の下方に配置された便器４０と、第２貫通孔５２が形成され、折り畳みフレーム１０を支持する支持台５０と、を備える。少なくとも、折り畳みフレーム１０と支持体２０とは着脱可能に連結され、折り畳みフレーム１０と支持台５０とは着脱可能に連結されている。【選択図】図３
2019019550.tif 000002
【特許請求の範囲】
【請求項１】
地中に埋設された立管の上方に設置され、前記立管に接続される仮設トイレであって、
後フレームと、前記後フレームに鉛直軸線周りに回動可能に連結された左右の横フレームと、前記後フレームに設けられた背もたれと、前記横フレームに設けられた手すりと、を有する折り畳みフレームと、
第１の貫通孔が形成され、前記折り畳みフレームに支持された支持体と、
前記支持体上の前記第１の貫通孔の周囲に配置された便座と、
前記支持体の下方に配置された便器と、
前記便器の下方に配置され、第２の貫通孔が形成され、前記折り畳みフレームを支持する支持台と、を備え、
少なくとも、前記折り畳みフレームと前記支持体とは着脱可能に連結され、前記折り畳みフレームと前記支持台とは着脱可能に連結されている、仮設トイレ。
【請求項２】
前記後フレームおよび／または前記横フレームは、上下に延びる脚部を有し、
前記支持台には、前記脚部が挿入される上下に延びる挿入孔が形成されている、請求項１に記載の仮設トイレ。
【請求項３】
前記便器に着脱可能に接続された給水ユニットを備えた、請求項１または２に記載の仮設トイレ。
【請求項４】
前記便器と前記立管との間に介在する管路と、前記管路に設けられた弁体とを有し、前記便器に着脱可能に接続された防臭弁ユニットを備えた、請求項１〜３のいずれか一つに記載の仮設トイレ。
【発明の詳細な説明】
【技術分野】
【０００１】
本発明は、折り畳み可能なフレームとそのフレームに組み立て可能な部品とからなり、地中に埋設された立管の上方に設置可能な仮設トイレに関する。
【背景技術】
【０００２】
従来から、地中に埋設された既設の立管（例えば、屋外のマンホール、または、ますの立管など）に事後的に接続可能な仮設トイレが知られている。地中に埋設された立管の上方に仮設トイレを設置し、この仮設トイレを立管に接続することにより、既設の立管を仮設トイレの汚水管として利用することができる。
【０００３】
仮設トイレは、非使用時には倉庫などに保管されており、災害時などの使用時に倉庫から設置現場に運び込まれる。倉庫などにコンパクトに収納できるよう、フレームが折り畳み可能に構成され、部品が組み立て可能に構成された仮設トイレが提案されている。例えば、特許文献１および２にそのような仮設トイレが開示されている。
【０００４】
特許文献１には、排便用の孔が形成された箱状体と、箱状体に回動可能に取り付けられた左右のフレームとを備えた仮設トイレが開示されている。左右のフレームの上部には、手すりが設けられている。この仮設トイレによれば、左右のフレームを箱状体に対して、前後方向に延びる水平軸線周りに回動させることにより、フレームを折り畳むことができる。これにより、コンパクトに収納することができる。
【０００５】
特許文献２には、折り畳みフレームと、折り畳みフレームに載置される便座と、折り畳みフレームに懸垂支持される便シュート（便器）とを備えた仮設トイレが開示されている。折り畳みフレームは、前脚部を有する主フレームと、主フレームに対して左右方向に延びる水平軸線周りに回動可能に連結された後脚部とを有している。この仮設トイレによれば、便座および便シュートを折り畳みフレームから取り外し、折り畳みフレームを折り畳むことにより、コンパクトに収納することができる。
【先行技術文献】
【特許文献】
【０００６】
【特許文献１】実用新案登録第３１８９９１７号公報
【特許文献２】特開２００８−１６１５１２号公報
【発明の概要】
【発明が解決しようとする課題】
【０００７】
ところで、仮設トイレは一時的に利用されるものではあるが、足腰の弱い高齢者等も利用するものなので、利便性および安定性が求められる。しかし、特許文献１および２に開示された仮設トイレは、利便性および安定性が高いとは言い難い。
【０００８】
また、特許文献１に開示された仮設トイレでは、フレームは折り畳み時に、前後方向に延びる水平軸線周りに下方に回動する。特許文献２に開示された仮設トイレでは、フレームは折り畳み時に、左右方向に延びる水平軸線周りに下方に回動する。このように特許文献１および２に開示された仮設トイレでは、フレームの折り畳み時の回動方向と利用者の体重が加わる方向（すなわち、下方向）とが同じであるので、利用者が座るときにフレームが誤って折り畳まれるおそれがある。
【０００９】
また、特許文献１に開示された仮設トイレには背もたれがない。特許文献２に開示された仮設トイレには手すりがない。そのため、利便性が低く、利用者が安定して利用しづらいという課題がある。
【００１０】
本発明はかかる点に鑑みてなされたものであり、その目的は、地中に埋設された立管を汚水管として利用することができ、使用しないときにはコンパクトに収納でき、使用時には利用者が安定して使用できる利便性の高い仮設トイレを提供することである。
【課題を解決するための手段】
【００１１】
本発明に係る仮設トイレは、地中に埋設された立管の上方に設置され、前記立管に接続される仮設トイレである。前記仮設トイレは、後フレームと、前記後フレームに鉛直軸線周りに回動可能に連結された左右の横フレームと、前記後フレームに設けられた背もたれと、前記横フレームに設けられた手すりと、を有する折り畳みフレームを備える。前記仮設トイレは更に、第１の貫通孔が形成され、前記折り畳みフレームに支持された支持体と、前記支持体上の前記第１の貫通孔の周囲に配置された便座と、前記支持体の下方に配置された便器と、前記便器の下方に配置され、第２の貫通孔が形成され、前記折り畳みフレームを支持する支持台と、を備える。少なくとも、前記折り畳みフレームと前記支持体とは着脱可能に連結され、前記折り畳みフレームと前記支持台とは着脱可能に連結されている。
【００１２】
上記仮設トイレによれば、少なくとも支持体および支持台は折り畳みフレームに対して着脱可能であり、折り畳みフレームは、左右の横フレームが後フレームに対して回動することにより折り畳み可能である。よって、使用しないときにはコンパクトに収納することができる。また、横フレームは後フレームに対し鉛直軸線周りに回動可能であり、折り畳み時の回動方向（すなわち左右方向）と利用者の体重が加わる方向（すなわち下方向）とが異なる。よって、利用者が座るときに折り畳みフレームが誤って折り畳まれるおそれがない。加えて、後フレームには背もたれが設けられ、横フレームには手すりが設けられている。そのため、利便性に優れ、利用者は安定して利用することができる。したがって、上記仮設トイレによれば、地中に埋設された立管を汚水管として利用することができ、使用しないときにはコンパクトに収納でき、利便性が高く、使用時には利用者が安定して使用することができる。
【００１３】
本発明の好ましい一態様によれば、前記後フレームおよび／または前記横フレームは、上下に延びる脚部を有している。前記支持台には、前記脚部が挿入される上下に延びる挿入孔が形成されている。
【００１４】
上記態様によれば、使用時には、折り畳みフレームを展開した後、脚部を支持台の挿入孔に挿入することにより、仮設トイレを組み立てることができる。使用しないときには、脚部を支持台の挿入孔から引き抜き、折り畳みフレームを折り畳むことにより、コンパクトに収納することができる。また、使用時に、脚部には上下方向の荷重が加わるが、左右方向には荷重が加わりにくい。よって、使用時に折り畳みフレームが誤って折り畳まれるおそれがない。したがって、利用者は安定して使用することができる。
【００１５】
本発明の好ましい一態様によれば、前記仮設トイレは、前記便器に着脱可能に接続された給水ユニットを備えている。なお、本明細書で言う「便器に接続された」には、便器に直接接続される場合と、他の部材を介して間接的に接続される場合との両方が含まれる。
【００１６】
上記態様によれば、給水ユニットから便器に洗浄水を供給することができるので、仮設トイレを水洗トイレとして好適に利用することができる。
【００１７】
本発明の好ましい一態様によれば、前記仮設トイレは、前記便器と前記立管との間に介在する管路と、前記管路に設けられた弁体とを有し、前記便器に着脱可能に接続された防臭弁ユニットを備えている。
【００１８】
上記態様によれば、防臭弁ユニットにより、臭気が外部に漏れることを防止することができる。
【発明の効果】
【００１９】
本発明によれば、地中に埋設された立管を汚水管として利用することができ、使用しないときにはコンパクトに収納でき、使用時には利用者が安定して使用できる利便性の高い仮設トイレを提供することができる。
【図面の簡単な説明】
【００２０】
【図１】本発明の実施の一形態に係る仮設トイレの正面図である。
【図２】上記仮設トイレの斜視図である。
【図３】上記仮設トイレの分解斜視図である。
【図４】他の実施形態に係る防臭弁ユニットの説明図である。
【発明を実施するための形態】
【００２１】
以下、本発明の実施の一形態について説明する。図１は、本実施形態に係る仮設トイレ１の正面図であり、図２は仮設トイレ１の斜視図である。図３は仮設トイレ１の分解斜視図である。
【００２２】
図１に示すように、仮設トイレ１は、地中に埋設された既設の立管２（例えば、屋外のマンホール、ますの立管など）の上方に設置され、立管２に接続される仮設トイレである。図２および図３に示すように、仮設トイレ１は、折り畳みフレーム１０と、支持体２０と、便座３０と、便器４０と、支持台５０と、防臭弁ユニット６０と、給水ユニット７０と、を備えている。これら折り畳みフレーム１０、支持体２０、便座３０、便器４０、支持台５０、防臭弁ユニット６０、および給水ユニット７０は、互いに分解および組み立てが可能に構成されている。
【００２３】
折り畳みフレーム１０は、後フレーム１１と、後フレーム１１に鉛直軸線Ｖ１周りに回動可能に連結された左の横フレーム１２Ｌおよび右の横フレーム１２Ｒと、後フレーム１１に設けられた背もたれ１３と、左の横フレーム１２Ｌに設けられた左の手すり１４Ｌと、右の横フレーム１２Ｒに設けられた右の手すり１４Ｒとを有している。
【００２４】
後フレーム１１は、門形に形成されたパイプによって形成されている。後フレーム１１は、上下に延びる左右の縦部１１Ｌ，１１Ｒと、左右の縦部１１Ｌ，１１Ｒを繋ぐ横部１１Ｃと、を有している。横部１１Ｃは左右に延びており、背もたれ１３は横部１１Ｃに取り付けられている。図示は省略するが、縦部１１Ｌ，１１Ｒの下端には開口が形成されている。後フレーム１１および背もたれ１３の材料は特に限定されないが、例えば、後フレーム１１を金属製とし、背もたれ１３を合成樹脂製とすることができる。
【００２５】
右の横フレーム１２Ｒは、前脚部１２Ａおよび後脚部１２Ｂと、前脚部１２Ａと後脚部１２Ｂとを繋ぐ連結部１２Ｃ，１２Ｄと、手すり１４Ｒを支持する支持部１２Ｅ，１２Ｆと、ジョイント１５Ａ，１５Ｂとを有している。前脚部１２Ａ、後脚部１２Ｂ、支持部１２Ｅ、および支持部１２Ｆは、上下に延びている。連結部１２Ｃおよび１２Ｄは前後に延びている。連結部１２Ｃは連結部１２Ｄの上方に配置されている。連結部１２Ｃの前端部は、ジョイント１５Ａを介して、前脚部１２Ａおよび支持部１２Ｅに連結されている。連結部１２Ｃの後端部は、ジョイント１５Ｂを介して、後脚部１２Ｂおよび支持部１２Ｆに連結されている。後脚部１２Ｂは、ジョイント１５Ｂを上下に貫通している。後脚部１２Ｂの上端部は、後フレーム１１の縦部１１Ｒの前記開口の内部に回動可能に挿入されている。後脚部１２Ｂの上端部と縦部１１Ｒとは、ハンドル付きのボルト１６によって固定されている。ボルト１６を弛めると、横フレーム１２Ｒは、後脚部１２Ｂの中心軸線と一致する鉛直軸線Ｖ１の周りに回動可能である。
【００２６】
左の横フレーム１２Ｌは、右の横フレーム１２Ｒと左右対称に形成されている。左の横フレーム１２Ｌのうち、右の横フレーム１２Ｒと同様の部分には同様の符号を付し、それらの説明は省略することとする。左の横フレーム１２Ｌの後脚部１２Ｂの上端部は、後フレーム１１の縦部１１Ｌの開口の内部に回動可能に挿入されている。左の横フレーム１２Ｌも右の横フレーム１２Ｒと同様、ハンドル付きボルト１６を弛めることにより、後脚部１２Ｂの中心軸線と一致する鉛直軸線Ｖ１周りに回動可能である。
【００２７】
横フレーム１２Ｌ，１２Ｒは、例えば、それぞれ図３の矢印Ｒ１の方向に回動させることができる。これにより、横フレーム１２Ｒを後フレーム１１の前方に重ねることができ、横フレーム１２Ｌを後フレーム１１の後方に重ねることができ、折り畳んだときの折り畳みフレーム１０の厚みを小さくすることができる。折り畳みフレーム１０をコンパクトにすることができる。なお、折り畳みフレーム１０を展開するときには、横フレーム１２Ｌ，１２Ｒをそれぞれ図３の矢印Ｒ１と反対の方向に回動させればよい。
【００２８】
支持体２０は、便座３０および便器４０を支持する部材であり、本実施形態では板状に形成されている。支持体２０自体は折り畳みフレーム１０に支持される。支持体２０には、第１の貫通孔２１が形成されている。支持体２０の左右両側には金具２２が固定されている。左右の金具２２は、左右の横フレーム１２Ｌ，１２Ｒの連結部１２Ｃに着脱可能に取り付けられる。支持体２０は、金具２２を介して、左右の横フレーム１２Ｌ，１２Ｒに支持されるように構成されている。支持体２０の材料は何ら限定されず、例えば金属製、合成樹脂製、または木製であってもよい。
【００２９】
便座３０は支持体２０の上に取り付けられており、支持体２０に支持されている。便座３０は、支持体２０のうち第１の貫通孔２１の周囲に配置されている。なお、便座３０は支持体２０に対して着脱可能に装着されていてもよく、着脱不能に設けられていてもよい。例えば、便座３０は支持体２０に一体成形されていてもよい。便座３０の材料は特に限定されず、例えば合成樹脂製である。
【００３０】
便器４０は支持体２０の下に取り付けられており、支持体２０に吊り下げ支持されている。便器４０は支持体２０の下方に配置されている。便器４０は、例えばボルト（図示せず）により支持体２０に固定されている。ただし、便器４０を支持体２０に固定する固定具および方法は何ら限定されない。便器４０には、上側の開口４１と下側の開口４２とが形成されている。便器４０は、下方に行くほど幅が狭くなるように形成されている。便器４０の材料は特に限定されず、例えば合成樹脂製である。
【００３１】
支持台５０は、折り畳みフレーム１０を支持する台である。折り畳みフレーム１０には支持体２０、便座３０、便器４０等が支持されているので、支持台５０は折り畳みフレーム１０を介して支持体２０等も支持する。図１に示すように、支持台５０は便器４０の下方に配置されている。支持台５０の平面視形状は特に限定されないが、本実施形態では図３に示すように、長方形状に形成されている。支持台５０は、折り畳みフレーム１０等を支持すると共に、便器４０から排出される汚水等を立管２に導く役割を果たす。そのために、支持台５０には第２の貫通孔５２が形成されている。また、支持台５０には、折り畳みフレーム１０の前脚部１２Ａおよび後脚部１２Ｂが挿入される上下に延びる挿入孔５１が形成されている。なお、挿入孔５１は、有底状の窪みであってもよく、貫通孔であってもよい。平面視において、支持台５０の外側の輪郭は、便器４０の外側の輪郭よりも大きい。平面視において、便器４０の周囲は支持台５０の輪郭によって囲まれている。また、特に限定されないが、ここでは支持台５０の平面視面積は便器４０の平面視面積よりも大きい。支持台５０の材料は特に限定されず、例えば金属製、合成樹脂製、または木製であってもよい。
【００３２】
防臭弁ユニット６０は、立管２から便器４０を通じて外部に臭気が漏れ出すことを防止するものである。防臭弁ユニット６０は、便器４０と立管２との間に介在する管路６１と、管路６１に設けられた弁体６２とを有している。防臭弁ユニット６０は便器４０に着脱可能に接続されている。
【００３３】
防臭弁ユニット６０の具体的構成は何ら限定されない。図３に示す防臭弁ユニット６０に代えて、例えば、図４に示すような防臭弁ユニット６０を用いることも可能である。図４に示す防臭弁ユニット６０は、ソケット６５と、ソケット６５の内部に配置された円筒状の管路６１と、ソケット６５の内部かつ管路６１の下端部に設けられた弁体６２とを有している。管路６１の上端部と便器４０との間には、ゴムリング６３が嵌め込まれており、シール性が保たれている。弁体６２には錘６４が設けられている。弁体６２および弁体６２上に溜まった汚水等の重量の合計が錘６４の重量よりも大きくなると、弁体６２は開く。弁体６２が開いて汚水等が下方に流下すると、弁体６２および弁体６２上の汚水等の重量の合計が錘６４の重量よりも小さくなり、弁体６２は閉じる。
【００３４】
給水ユニット７０は、便器４０に洗浄水（なお、洗浄水は薬剤を含む水であってもよく、薬剤を含まない水であってもよい）を供給する装置である。給水ユニット７０は、ホース７１を介して便器４０に接続されている。給水ユニット７０の構成は何ら限定されないが、ここでは足踏み式の給水ユニットである。給水ユニット７０は、洗浄水が貯留されたタンク７２と、足踏みペダル７３と、足踏みペダル７３によって駆動されるポンプ７４とを有している。給水ユニット７０は、支持台５０の上に載置されてもよく、支持台５０の外に載置されてもよい。支持台５０は地面ＧＬの上に載置されてもよい。
【００３５】
以上が仮設トイレ１の構成である。前述のように仮設トイレ１の部品、すなわち、折り畳みフレーム１０、支持体２０、便座３０、便器４０、支持台５０、防臭弁ユニット６０、および給水ユニット７０は、分解および組み立てが可能に構成されている。本実施形態に係る仮設トイレ１は、設置前は分解された状態で倉庫に保管されている。災害発生時などの設置時には、仮設トイレ１は例えば以下のようにして設置される。
【００３６】
先ず、仮設トイレ１の各部品を倉庫から設置現場に運び込む。次に、折り畳まれた状態の折り畳みフレーム１０を展開する。次に、支持体２０に便座３０および便器４０を取り付け、便器４０に防臭弁ユニット６０を取り付ける。そして、折り畳みフレーム１０に支持体２０を連結する。
【００３７】
図１に示すように、立管２の上端部には蓋枠３が固定されている。仮設トイレ１の設置前では、蓋枠３に蓋（図示せず）が嵌め込まれている。仮設トイレ１の設置時には、蓋枠３から蓋を取り外し、その代わりに、孔４ａが形成された接続部材４を蓋枠３に嵌め込む。
【００３８】
次に、接続部材４および地面ＧＬの上に支持台５０を載せる。この際、支持台５０の貫通孔５２と接続部材４の孔４ａとが重なるように支持台５０の位置を調整する。次に、折り畳みフレーム１０の前脚部１２Ａおよび後脚部１２Ｂを支持台５０の挿入孔５１に上方から挿入する。これにより、折り畳みフレーム１０が支持台５０に連結される。また、防臭弁ユニット６０の下端部を支持台５０の貫通孔５２および接続部材４の孔４ａに挿入し、接続部材４に接続する。そして、給水ユニット７０を地面に載置し、給水ユニット７０と便器４０とをホース７１で接続する。
【００３９】
以上のようにして、仮設トイレ１を設置することができる。なお、上述の設置方法は一例に過ぎない。各作業の順番は適宜変更することができる。
【００４０】
以上のように、本実施形態に係る仮設トイレ１によれば、地中に埋設された既設の立管２を仮設トイレ１用の汚水管として利用することができる。そのため、例えば地震等の災害発生時に、地中の配管工事を行わなくても水洗トイレを実現することができる。
【００４１】
また、仮設トイレ１によれば、折り畳みフレーム１０は折り畳み可能に構成され、更に、折り畳みフレーム１０、支持体２０、便座３０、便器４０、支持台５０、防臭弁ユニット６０、および給水ユニット７０は互いに着脱可能に構成されている。したがって、仮設トイレ１は、使用しないときには倉庫等においてコンパクトに収納することができる。
【００４２】
ところで、仮設トイレ１の使用時には、折り畳みフレーム１０の横フレーム１２Ｌ，１２Ｒには下向きの荷重が作用する。一方、折り畳みフレーム１０は、左右の横フレーム１２Ｌ，１２Ｒが後フレーム１１に対して鉛直軸線Ｖ１周りに回動することにより折り畳まれる。仮設トイレ１では、折り畳みフレーム１０の折り畳み時の回動方向（左右方向）と、使用時に折り畳みフレーム１０に加わる荷重の方向（下方向）とが異なる。よって、利用者が座るときに折り畳みフレーム１０が誤って折り畳まれるおそれがない。
【００４３】
加えて、仮設トイレ１によれば、後フレーム１１には背もたれ１３が設けられ、横フレーム１２Ｌ，１２Ｒには手すり１４Ｌ，１４Ｒが設けられている。そのため、利用者は、手すり１４Ｌ，１４Ｒを掴むことにより、手すり１４Ｌ，１４Ｒに体重を掛けながら便座３０に座ることができる。また、便座３０に座った後、手すり１４Ｌ，１４Ｒを掴み、または、手すり１４Ｌ，１４Ｒに肘を載せることにより、姿勢を安定させることができる。また、背もたれ１３にもたれることにより、姿勢を安定させることができる。このように仮設トイレ１によれば、利便性に優れ、利用者は安定して利用することができる。
【００４４】
また、本実施形態に係る仮設トイレ１によれば、折り畳みフレーム１０の横フレーム１２Ｌ，１２Ｒは、上下に延びる前脚部１２Ａおよび後脚部１２Ｂを有している。支持台５０には、前脚部１２Ａおよび後脚部１２Ｂが挿入される上下に延びる挿入孔５１が形成されている。使用時には、折り畳みフレーム１０を展開した後、前脚部１２Ａおよび後脚部１２Ｂを挿入孔５１に挿入することにより、仮設トイレ１を組み立てることができる。使用しないときには、前脚部１２Ａおよび後脚部１２Ｂを挿入孔５１から引き抜き、折り畳みフレーム１０を折り畳むことにより、コンパクトに収納することができる。また、前脚部１２Ａおよび後脚部１２Ｂは上下に延びているので、仮設トイレ１の使用時に、前脚部１２Ａおよび後脚部１２Ｂには上下方向の荷重が加わるが、左右方向には荷重が加わりにくい。よって、使用時に折り畳みフレーム１０が誤って折り畳まれるおそれがない。したがって、利用者は安定して使用することができる。
【００４５】
また、本実施形態に係る仮設トイレ１によれば、給水ユニット７０を備えている。給水ユニット７０から便器４０に洗浄水を供給することができるので、仮設トイレ１を水洗トイレとして好適に利用することができる。
【００４６】
また、本実施形態に係る仮設トイレ１によれば、防臭弁ユニット６０を備えている。そのため、臭気が外部に漏れることを防止することができる。
【００４７】
以上、本発明の実施の一形態について説明したが、本発明の実施形態が前記実施形態に限定されないことは勿論である。
【００４８】
前記実施形態では、前脚部１２Ａおよび後脚部１２Ｂは、いずれも横フレーム１２Ｌ，１２Ｒに備えられていた。しかし、横フレーム１２Ｌ，１２Ｒが後フレーム１１に対して鉛直軸線周りに回動可能であれば、後脚部１２Ｂは後フレーム１１に備えられていてもよい。
【００４９】
折り畳みフレーム１０が備える脚部の本数は４本に限られない。
【００５０】
前記実施形態では、支持体２０は左右の横フレーム１２Ｌ，１２Ｒに支持されている。しかし、支持体２０は、左右の横フレーム１２Ｌ，１２Ｒおよび後フレーム１１に支持されていてもよい。
【００５１】
前記実施形態では、便座３０の上に、便座３０および第１の貫通孔２１を覆うための便蓋が設けられていない。しかし、支持体２０、便座３０、または便器４０に、便座３０および第１の貫通孔２１を覆う便蓋が取り付けられていてもよい。便蓋は、後端部を中心として揺動可能に構成されていてもよい。
【００５２】
防臭弁ユニット６０および給水ユニット７０のいずれか一方または両方は、必ずしも必要ではなく、省略してもよい。例えば、防臭弁ユニット６０を省略し、便器４０と接続部材４とを排水管によって接続してもよい。立管２の内部に防臭弁ユニットを配置し、その防臭弁ユニットと便器４０とを排水管によって接続するようにしてもよい。
【００５３】
給水ユニット７０は足踏み式のポンプでなく、手押し式のポンプを備えていてもよい。また、給水ユニット７０は電動のポンプを備えていてもよい。給水ユニット７０は、着座センサと、給水管に設けられた電磁弁とを備え、着座センサからの信号に基づいて電磁弁を開閉するものであってもよい。
【符号の説明】
【００５４】
１              仮設トイレ
２              立管
１０            折り畳みフレーム
１１            後フレーム
１２Ａ          前脚部（脚部）
１２Ｂ          後脚部（脚部）
１２Ｌ，１２Ｒ  横フレーム
１３            背もたれ
１４Ｌ，１４Ｒ  手すり
２０            支持体
２１            第１の貫通孔
３０            便座
４０            便器
５０            支持台
５１            挿入孔
５２            第２の貫通孔
６０            防臭弁ユニット
７０            給水ユニット
【図１】
2019019550.tif 000003
【図２】
2019019550.tif 000004
【図３】
2019019550.tif 000005
【図４】
2019019550.tif 000006